(57)【要約】【課題】符号化データにおいて、よりサイズの大きいデータに対してアクセスすること。【解決手段】画質方向にスケーラビリティーを有する符号化方式で符号化された画像の符号化データを、内周側の領域（特別領域）、外周側の領域（一般領域）を有するディスク状の記憶媒体に記録する際に、画像の符号化データのうち、所定の画質の画像を構成するために必要なデータを、記憶媒体の一般領域に記録する。【選択図】　図４
2004080144.tif 000002
【特許請求の範囲】
【請求項１】
画質方向にスケーラビリティーを有する符号化方式で符号化された画像の符号化データを、内周側の領域、外周側の領域を有するディスク状の記憶媒体に記録する情報記録装置であって、
前記画像の符号化データのうち、所定の画質の画像を構成するために必要な第１のデータを、前記記憶媒体の外周側の領域に記録する記録手段を備えることを特徴とする情報記録装置。
【請求項２】
前記記録手段は更に、前記画像の符号化データのうち、前記第１のデータ以外の第２のデータを、前記記憶媒体の内周側の領域に記録することを特徴とする請求項１に記載の情報記録装置。
【請求項３】
前記第１のデータのサイズは前記第２のデータのサイズよりも小さいことを特徴とする請求項２に記載の情報記録装置。
【請求項４】
前記記録手段は更に、所定の画質の画像を構成するために必要なデータのデータ長を指示する指示手段を備えることを特徴とする請求項１乃至３のいずれか１項に記載の情報記録装置。
【請求項５】
更に、画像を前記符号化方式で符号化する符号化手段を備え、
前記記録手段は、当該符号化手段による符号化データを前記記憶媒体に記録することを特徴とする請求項１乃至４のいずれか１項に記載の情報記録装置。
【請求項６】
前記符号化方式は、ＪＰＥＧ２０００であることを特徴とする請求項１乃至５のいずれか１項に記載の情報記録装置。
【請求項７】
前記符号化方式は、Ｐｒｏｇｒｅｓｓｉｖｅ　ＪＰＥＧであることを特徴とする請求項１乃至５のいずれか１項に記載の情報記録装置。
【請求項８】
画質方向にスケーラビリティーを有する符号化方式で符号化された画像の符号化データを、内周側の領域、外周側の領域を有するディスク状の記憶媒体に記録する情報記録方法であって、
前記画像の符号化データのうち、所定の画質の画像を構成するために必要な第１のデータを、前記記憶媒体の外周側の領域に記録する記録工程を備えることを特徴とする情報記録方法。
【請求項９】
コンピュータを請求項１乃至７のいずれか１項に記載の情報記録装置として機能させることを特徴とするプログラム。
【請求項１０】
コンピュータに請求項８に記載の情報記録方法を実行させるためのプログラム。
【請求項１１】
請求項９又は１０に記載のプログラムを格納するコンピュータ読み取り可能な記憶媒体。
【発明の詳細な説明】
【０００１】
【発明の属する技術分野】
本発明は、画質方向にスケーラビリティーを有する符号化方式で符号化された画像の符号化データを、内周側の領域、外周側の領域を有するディスク状の記憶媒体に記録する情報記録装置、情報記録方法に関するものである。
【０００２】
【従来の技術】
記憶媒体の種類によっては、高速にアクセス可能な領域とそうでない領域が存在する。例えば、光ディスクはディスクの内周部の方が外周部に比べて高速にアクセスができることが知られている。また、特に記憶媒体がディスクである場合は、複数のデータをまとめて読み出す時、データの記録位置が近いほどシーク時間が短くなり、高速にアクセスできる。ディスク上に記録された複数のデータを高速にアクセスする方法として、読み出し指定されたデータをディスクの記録順に読み出すことでシーク時間を短縮する方法が考えられる。
【０００３】
ＪＰＥＧ２０００ファイルは、ファイルの先頭から途中までのデータを読み込むだけで、読み込んだデータから復元できる範囲内で画像をデコードできる。また、ＪＰＥＧ２０００ファイルは、解像度やＳ／Ｎ比に応じた記録順でデータを記録できるので、Ｓ／Ｎ比の低い順にデータを記録し、先頭から一定サイズのデータを読み込むだけで低画質の画像を取得する機能を実現できる。Ｓ／Ｎ比に応じた順で記録する方式を、Ｌａｙｅｒ　ｌｅｖｅｌ−Ｒｅｓｏｌｕｔｉｏｎ−ｃｏｍｐｏｎｅｎｔ−ｐｏｓｉｔｉｏｎ　ｐｒｏｇｒｅｓｓｉｏｎと呼んでいる。
【０００４】
ＪＰＥＧ２０００ファイルの上記のような利点を生かして、ファイルの先頭に必要なデータを配置し必要な部分だけを読み込むことで、必要とされるデータを速やかに読み込み、表示などに利用できる。
【０００５】
このような状況において、必要なデータだけを特定の領域に記録することで必要なデータに高速にアクセスすることを特徴とする方法は、従来から様々な方法が提案されており、例えば特開平０３−０５３３８１号公報、特開平０７−１２３３４６号公報、特開平０８−０７７３２５号公報などが挙げられる。
【０００６】
特開平０３−０５３３８１号公報「画像情報高速検索方式」は、ディスクに格納されたディジタル画像情報を高速に検索する画像情報高速検索方式について開示しており、より詳細には画像情報を複数のステージに階層化し、階層化されたステージのうち１ステージ分の画像情報をディスク内の高速ランダムアクセスが可能な領域に格納し、他のステージをこの領域以外に格納する方式について開示している。
【０００７】
この方式によれば、高頻度で発生する検索要求が入力された場合には、高速ランダムアクセス可能領域に格納されている１ステージ分の画像情報のみを用いて高速に検索を行い、検索要求の停止または検索要求の発生頻度の低下に応じて、他のステージの画像情報をも用いて検索表示を行うことができる。
【０００８】
特開平０７−１２３３４６号公報「画像記録再生方法及び装置」は、アクセス速度は速いが容量の小さい第１の記録媒体と、アクセス速度は遅いが大容量の第２の記録媒体を併用し、第２の記録媒体に記録されたデータのうち、利用頻度の高いデータを第１の記録媒体に記録することを特徴とする発明である。この方式によれば、画像データのうち利用頻度の高い部分のみを高速アクセス可能な媒体に記録するので、必要なデータには高速にアクセスすることが可能になる。
【０００９】
特開平０８−０７７３２５号公報「静止画像データの記録装置」は、複数解像度の静止画データをそれぞれ固定長符号化して解像度ごとに用意された領域に分けて記録することを特徴とする発明である。この方式によれば、必要な解像度のデータをまとめて読み込む場合の読み込み速度を向上させつつ、記録領域の空き領域の検索速度の向上を実現することができる。
【００１０】
【発明が解決しようとする課題】
データを分けて記録することによる高速化方式は上述の通り既にいくつかの方法が発明されている。しかし、これらの方法には、それぞれ以下のような問題点がある。
【００１１】
まず、特開平０３−０５３３８１号公報「画像情報高速検索方式」による方式では、高速ランダムアクセス領域に記録されるデータのデータ長が可変長になる可能性があり、高速ランダムアクセス可能領域に記録可能な画像データ数が予測不能である。また、画像の新規追加や削除操作を頻繁に行う場合、高速ランダムアクセス可能領域にフラグメンテーションが生じ、高速ランダムアクセス可能領域の利用効率が低下してしまうという問題がある。逆に、必ず固定長符号化するという場合には、符号化長の設定値によって圧縮効率、もしくは記録するデータの画質に制限が加わってしまうという問題がある。また、高速ランダムアクセス領域に記録されるデータは、それ自体で必ず完結しなくてはならない。
【００１２】
次に、特開平０７−１２３３４６号公報「画像記録再生方法及び装置」による方式を用いた場合、第１の記録媒体と第２の記録媒体に記録されるデータは重複してしまい、記録媒体の利用効率が著しく低下してしまうという問題があった。
【００１３】
最後に、特開平０８−０７７３２５号公報「静止画像データの記録装置」による方式を用いるためには、予め定められた解像度のデータを必ず固定長符号化しなくてはならず、可変長符号化を行う圧縮方式で圧縮された画像データを扱えないという問題があった。
【００１４】
本発明は以上の問題に鑑みてなされたものであり、符号化データにおいて、少なくとも最低画質の画像のデータよりもサイズの大きい、このデータ以外のデータを記憶媒体においてより高速にアクセス可能な領域に記録する情報記録装置、情報記録方法を提供することを目的とする。
【００１５】
【課題を解決するための手段】
本発明の目的を達成するために、例えば本発明の情報記録装置は以下の構成を備える。
【００１６】
すなわち、画質方向にスケーラビリティーを有する符号化方式で符号化された画像の符号化データを、内周側の領域、外周側の領域を有するディスク状の記憶媒体に記録する情報記録装置であって、
前記画像の符号化データのうち、所定の画質の画像を構成するために必要な第１のデータを、前記記憶媒体の外周側の領域に記録する記録手段を備えることを特徴とする。
【００１７】
本発明の目的を達成するために、例えば本発明の情報記録方法は以下の構成を備える。
【００１８】
すなわち、画質方向にスケーラビリティーを有する符号化方式で符号化された画像の符号化データを、内周側の領域、外周側の領域を有するディスク状の記憶媒体に記録する情報記録方法であって、
前記画像の符号化データのうち、所定の画質の画像を構成するために必要な第１のデータを、前記記憶媒体の外周側の領域に記録する記録工程を備えることを特徴とする。
【００１９】
【発明の実施の形態】
以下添付図面を参照して、本発明を好適な実施形態に従って詳細に説明する。
【００２０】
［第１の実施形態］
図１は本実施形態に係る情報記録装置の基本構成を示す図である。ＣＰＵ１０１は装置全体の動作を制御すると共に、一次記憶装置１０２に格納されたプログラムの実行などを行う。一次記憶装置１０２はＲＡＭに代表される読み書き可能なメモリとして機能し、ＣＰＵ１０１により二次記憶装置１０３から読み出されたプログラムやデータなどを格納する。
【００２１】
二次記憶装置１０３はハードディスクに代表される大容量記憶装置として機能し、その記憶容量は一般的には一次記憶装置１０２のそれよりも大きい。よって、一次記憶装置１０２に格納しきれないプログラムやデータなどは二次記憶装置１０３に格納される。また、長時間記憶しなくてはならないデータなども二次記憶装置１０３に格納される。一般にはプログラムを二次記憶装置１０３に格納しておき、ＣＰＵ１０１がプログラムを実行する際には二次記憶装置１０３から一次記憶装置１０２にこのプログラムをロードする。
【００２２】
入力デバイス１０４はマウスやキーボードなどのポインティングデバイスや音声入力装置などにより構成されており、ＣＰＵ１０１に対して各種の指示を入力するために用いられる。出力デバイス１０５はモニタやプリンタなどにより構成されている。データ入出力装置１０６は、プログラムやデータの読み書き可能な記憶媒体１０７に対してプログラムやデータの読み書きを行う装置であって、例えば記憶媒体１０７がＣＤ−ＲＷである場合、データ入出力装置１０６はＣＤ−ＲＯＭドライブである。
【００２３】
次に、以上の構成を備える情報記録装置が、二次記憶装置１０３に格納されているデータをデータ入出力装置１０６により記憶媒体１０７に書き込む処理について以下説明する。本実施形態では書き込むデータはＪＰＥＧ２０００に従った画像の符号化データであるとする。
【００２４】
図２はＬａｙｅｒ−ｒｅｓｏｌｕｔｉｏｎ　ｌｅｖｅｌ−ｃｏｍｐｏｎｅｎｔ−ｐｏｓｉｔｉｏｎ　ｐｒｏｇｒｅｓｓｉｏｎ（以下、ＬＲＣＰと記す）に従ったＪＰＥＧ２０００の符号化データのデータ構成を示す図である。ＬＲＣＰに準じたＪＰＥＧ２０００の符号化データは、Ｌａｙｅｒ／Ｒｅｓｏｌｕｔｉｏｎ／Ｃｏｍｐｏｎｅｎｔ／Ｐｏｓｉｔｉｏｎの順にデータが配置された構成を備える。なお、同図ではヘッダ部分は説明上、省略している。
【００２５】
ＪＰＥＧ２０００の符号化データは大まかにはＬａｙｅｒ毎のデータに分けることができる。各Ｌａｙｅｒのデータはすなわち公知のビットプレーン符号化による各ビットプレーンの符号化データで、ＭＳＢ側のビットプレーン（Ｌａｙｅｒ０）から順にＬＳＢのビットプレーン（ＬａｙｅｒＬ）までが配置される。Ｌａｙｅｒ番号は復元する画像の原画に対するＳ／Ｎ比に対応し、Ｌａｙｅｒ番号が小さいほどＳ／Ｎ比が悪く（低く）なる。すなわち、同図のＪＰＥＧ２０００のデータは、Ｓ／Ｎの悪い順に各Ｌａｙｅｒのデータが配置されていることになる。
【００２６】
更に各Ｌａｙｅｒのデータは各Ｒｅｓｏｌｕｔｉｏｎのデータにより構成されている。各Ｒｅｓｏｌｕｔｉｏｎのデータは解像度（画像のサイズ）に応じたＲｅｓｏｌｕｔｉｏｎ番号に従った順序で配置されている。解像度とＲｅｓｏｌｕｔｉｏｎ番号との関係を図３に示す。最も小さい解像度の画像のＲｅｓｏｌｕｔｉｏｎ番号を０とし、Ｒｅｓｏｌｕｔｉｏｎ番号が一つ増加するごとに画像の幅と高さが倍になっていく。各Ｌａｙｅｒ内は、Ｒｅｓｏｌｕｔｉｏｎ番号の小さい順にデータが格納されている。
【００２７】
また各Ｒｅｓｏｌｕｔｉｏｎのデータは各Ｃｏｍｐｏｎｅｎｔのデータにより構成されている。各Ｃｏｍｐｏｎｅｎｔのデータは画像の各色データに対応しており、例えば画像がＲＧＢの各データにより構成されている場合には、Ｃｏｍｐｏｎｅｎｔ０のデータはＲ成分のデータ、Ｃｏｍｐｏｎｅｎｔ１のデータはＧ成分のデータ、Ｃｏｍｐｏｎｅｎｔ２のデータはＢ成分のデータである、すなわち、Ｃｏｍｐｏｎｅｎｔ数は画像の色空間の次元数に一致する。
【００２８】
一つのＪＰＥＧ２０００ファイル内でのＲｅｓｏｌｕｔｉｏｎ番号とＬａｙｅｒ番号、Ｃｏｍｐｏｎｅｎｔ番号の最大値は、エンコーダによって予め設定されており、この最大値を示すデータは図２に示すデータに添付されている不図示のヘッダに含まれているものとする。
図４は、上記記憶媒体１０７の情報記憶部分を示す図である。本実施形態では記憶媒体１０７はＣＤ−ＲＷ等のデータの読み書き可能な光ディスクであるとする。一般にディスクに記録された情報を読み取る装置（例えばＣＤ−ＲＯＭドライブ装置）は光ディスクの内周側の領域（例えば全セクタ数の３０％に相当する内側の数セクタ）と外周側の領域（内側の領域以外の領域に含まれるセクタ）とでは内周側の領域程、より高速にアクセスすることができる。以下ではこの内周側の領域を特別領域と呼称する。また外周側の領域を一般領域と呼称する。
【００２９】
また本実施形態ではディスク（記憶媒体１０７）の論理フォーマットをＵＤＦとする。ＵＤＦのフォーマットを用いると、一つのファイルを分割して記憶媒体１０７の複数の位置に書き込むことができる。分割された各データは分割数と等しい数のＵＤＦエントリを用いて記憶媒体１０７に記録される。
【００３０】
次に、二次記憶装置１０３に記憶されているＪＰＥＧ２０００のデータをデータ入出力装置１０６により記憶媒体１０７に書き込む処理について、同処理のフローチャートを示す図５を用いて説明する。
【００３１】
まずＣＰＵ１０１は二次記憶装置１０３に格納されている符号化データを一次記憶装置１０２に読み出すと共に、ヘッダを参照し、上記最大Ｌａｙｅｒ番号、最大Ｒｅｓｏｌｕｔｉｏｎ番号、Ｃｏｍｐｏｎｅｎｔ番号、予め定められた画像サイズに相当するＲｅｓｏｌｕｔｉｏｎ番号、ストリームの記録方法を取得する（ステップＳ５０１）。
【００３２】
次にＣＰＵ１０１はストリーム（図２に示した符号化データ）の記録方法がＬＲＣＰであるか否かを判断し（ステップＳ５０２）、ＬＲＣＰでない場合には符号化データをＬＲＣＰに従って図２に示す構成に再構成（パケットの並び替え）すると共に、ヘッダ部分に記録されているストリームの記録方法をＬＲＣＰに修正する（ステップＳ５０３）。
【００３３】
次に、一般領域に書き込むべきデータのデータ長ｄ＿ｌｅｎｇｔｈを入力する（ステップＳ５０４）。本実施形態ではこのデータ長ｄ＿ｌｅｎｇｔｈは予め定められた長さとして、二次記憶装置１０３に記憶されており、本ステップにおいてＣＰＵ１０１による制御により一次記憶装置１０２に読み出されるものとするが、他にも例えば入力デバイス１０４を用いて入力し、同様に一次記憶装置１０２に記憶させても良い。ここでデータ長ｄ＿ｌｅｎｇｔｈは少なくとも最も低いＳ／Ｎ比の画像を構成するために必要なデータ、例えばＬａｙｅｒ０に含まれる全てのデータのバイト数を設定すれば良い。
【００３４】
しかし、データ長ｄ＿ｌｅｎｇｔｈは符号化データ全体のデータ長の半分以下であるとする。これは以降の処理でデータ長ｄ＿ｌｅｎｇｔｈのデータは内周側に比べて低速にアクセスされる領域である一般領域に記録されるが、一般領域に記録されるデータのサイズが特別領域に記録されるデータのサイズよりも小さいほど、符号化データ全部のデータを読み出す時間が短くなるからである。よってデータ長ｄ＿ｌｅｎｇｔｈは符号化データ全体のデータ長の半分以下であることが好適である。本実施形態ではデータ長ｄ＿ｌｅｎｇｔｈは最も低いＳ／Ｎ比の画像、即ち最低画質画像を構成するために必要なデータのバイト数を示すものとする。
【００３５】
次に、ＣＰＵ１０１はデータ入出力装置１０６を制御し、データ入出力装置１０６は上記ＵＤＦの機能を利用して符号化データの先頭からｄ＿ｌｅｎｇｔｈ分を記憶媒体１０７の一般領域に書き込み（ステップＳ５０５）、残りの部分（符号化データの先頭からｄ＿ｌｅｎｇｔｈのバイト数分以降のデータ）を記憶媒体１０７の特別領域に書き込む（ステップＳ５０６）。
【００３６】
以上の処理により、サイズの大きい方のデータ（本実施形態では符号化データにおいて、最低画質画像を構成するために必要なデータ以外のデータ）をより高速にアクセス可能な領域に記録することができる。これにより、記憶媒体に記録された符号化データ（一般領域に記録されたデータと、特別領域に記録されたデータ）を読み出す場合、記憶媒体１０７の情報記憶領域を問わずに符号化データを記録した場合よりもより高速に読み出すことができる。
【００３７】
また、記憶媒体１０７に複数の画像の符号化データを記録し、夫々の画像を一覧表示したい場合、夫々の画像のサムネイル画像として少なくとも最低画質の画像を表示装置としての出力デバイス１０５の表示画面上に表示すればよいのであるが、サムネイル画像のサイズは小さいために、特別領域に比べて遅いアクセス速度でデータの読み取りが行われる一般領域にサムネイル画像を記録してもその読み出しに要する時間が著しく長くなることはない。
【００３８】
次に、上記方法により符号化データを記録した記憶媒体１０７から、この符号化データを読み出す方法について説明する。図６は一般領域に記録されたデータ、すなわち最低画質の画像のデータのみを読み出す処理のフローチャートである。
【００３９】
まずＣＰＵ１０１はデータ入出力装置１０６を指示し、データ入出力装置１０６は記憶媒体１０７をシークして、読み出す対象となる符号化データを記録するのに用いたエントリを取得する（ステップＳ６０１）。次にＣＰＵ１０１は取得したエントリのうち、一般領域を示すエントリのみを選択する（ステップＳ６０２）。そしてＣＰＵ１０１はデータ入出力装置１０６に指示し、データ入出力装置１０６は選択したエントリを用いて記録されたデータを一次記憶装置１０２に読み出す（ステップＳ６０３）。そしてＣＰＵ１０１は一次記憶装置１０２に読み出されたデータをデコードする（ステップＳ６０４）。なお、デコードするためのプログラムは二次記憶装置１０３に格納されており、必要に応じて一次記憶装置１０２に読み出される。
【００４０】
図７は特別領域、一般領域に記録されたデータ、すなわち、１つの符号化データを読み出す処理のフローチャートである。まずＣＰＵ１０１はデータ入出力装置１０６を指示し、データ入出力装置１０６は記憶媒体１０７をシークして、読み出す対象となる符号化データを記録するのに用いたエントリを取得する（ステップＳ７０１）。次にＣＰＵ１０１はデータ入出力装置１０６に指示し、データ入出力装置１０６は取得したエントリを用いて記録されたデータを一次記憶装置１０２に読み出す（ステップＳ７０２）。そしてＣＰＵ１０１は一次記憶装置１０２に読み出されたデータをデコードする（ステップＳ７０３）。なお、デコードするためのプログラムは二次記憶装置１０３に格納されており、必要に応じて一次記憶装置１０２に読み出される。
【００４１】
以上の説明により、本実施形態に係る情報記録装置によって、符号化データにおいて、データサイズの大きい方の、少なくとも最低画質の画像を構成するために必要なデータ以外のデータをより高速にアクセス可能な記憶媒体の領域（特別領域）に記録することができるので、符号化データ全体に対してアクセスする場合、より高速にアクセスすることができる。
【００４２】
また符号化データにおいてデータサイズの小さい、少なくとも最低画質の画像を構成するために必要なデータを一般領域に記録しても、記録する画像のサイズは小さいために、その読み出しに要する時間が著しく長くなることはない。
【００４３】
また本実施形態に係る情報記録装置は、標準化されたＪＰＥＧ２０００というフォーマットとの完全互換を保ちつつ、可変長符号化されたデータのうち予め定められた部分のデータを一般領域に記録することで上記特開平０３−０５３３８１号公報による問題を解決することができる。さらに、ＪＰＥＧ２０００形式のデータは、先頭から任意の位置でデータを切っても問題なく再生できるので、一般領域に記録するデータが完結しているかどうかを判定する必要がないという利点がある。
【００４４】
また本実施形態に係る情報記録装置は、アクセス速度の高い領域とアクセス速度の低い領域のそれぞれに記録されるデータに重複する部分を無くし、記憶媒体の利用効率の向上を図ることが可能になるので、上記特開平０７−１２３３４６号公報による問題を解決することができる。
【００４５】
また本実施形態に係る情報記録装置は、固定長符号化された画像データのみならず可変長符号化された画像データに対しても同様の効果を得ることが可能になるので、上記特開平０８−０７７３２５号公報による問題を解決することができる。
【００４６】
なお、本実施形態では一般領域に記録したデータは最低画質画像であったが、これに限定されるものではなく、上述の通り、少なくとも最も低いＳ／Ｎ比の画像であればよく、例えばＬａｙｅｒ０のデータとＬａｙｅｒ１のデータを一般領域に記録し、それ以降のデータは特別領域に記録しても良い。
【００４７】
また本実施形態では一般領域に記録するデータは予め定められたサイズの固定長であったが、ヘッダ情報を読み込み、必要な解像度で必要なＳ／Ｎ比のＲｅｓｏｌｕｔｉｏｎ番号とＬａｙｅｒ番号を取得し、一般領域に記録するデータのデータ長を決定しても良いことは言うまでもない。
【００４８】
［第２の実施形態］
第１の実施形態に係る情報記録装置は、ＪＰＥＧ２０００に従って既にエンコードされた符号化データを記憶媒体に記録する装置であった。本実施形態に係る情報記録装置はエンコーダを備え、エンコードされていない元画像を入力し、ＪＰＥＧ２０００に従ってエンコードした後、第１の実施形態で説明したように、エンコード後の符号化データを記憶媒体に記録する。
【００４９】
以下、本実施形態に係る情報記録装置について説明する。図８は本実施形態に係る情報記録装置の概略機能構成と、本装置への入力対象となる元画像を示す図である。
【００５０】
画像８０１は情報記録装置に入力され、ＪＰＥＧ２０００に従って符号化される対象となる画像である。パラメータ設定部８０２は後述のＪＰＥＧ２０００エンコーダ８０３の動作を制御するためのパラメータを設定する。設定するパラメータとしては、エンコードする際の解像度スケーラビリティＲｅｓｏｌｕｔｉｏｎの最大値、Ｓ／Ｎ比スケーラビリティＬａｙｅｒの最大値、色空間の次元数Ｃｏｍｐｏｎｅｎｔなどである。ここでＣｏｍｐｏｎｅｎｔ数は、入力される原画像８０１の色成分数である。パラメータの設定は例えばキーボードやマウスなどを用いて設定してもよく、その場合はパラメータ設定部８０２は上記入力デバイス１０４として機能することになる。
【００５１】
ＪＰＥＧ２０００エンコーダ８０３は、パラメータ設定部８０２により入力されたパラメータに従って、入力された画像８０１に対してＪＰＥＧ２０００に従った符号化を行う。ＪＰＥＧ２０００に従った符号化については公知の技術であるので、ここでの説明を省略する。
【００５２】
出力処理部８０４は、記憶媒体に符号化データを記録する処理を行い、上記データ入出力装置１０６として機能する。出力処理部８０４が行う処理のフローチャートを図９に示す。まずＪＰＥＧ２０００エンコーダ８０３により生成された符号化データのヘッダを参照して、一般領域に記録すべきデータのデータ長（例えば４ｋｂ）を設定する（ステップＳ９０１）。これは例えば、ヘッダを参照し、予め定められた必要な解像度で必要なＳ／Ｎ比のＲｅｓｏｌｕｔｉｏｎ番号とＬａｙｅｒ番号を取得し、一般領域に記録するデータのデータ長を決定する。
【００５３】
そして決定したデータ長が予め定められた閾値を越えているか否かを判断し（ステップＳ９０２）、越えていない場合には、符号化データの先頭から決定したデータ長分だけのデータを記憶媒体の一般領域に記録し（ステップＳ９０３）、残りのデータを特別領域に記録する（ステップＳ９０４）。
【００５４】
［第３の実施形態］
第１，２の実施形態では記憶媒体に記録するデータとしてＪＰＥＧ２０００に従った符号化データとした。これは符号化方式が画質方向にスケーラビリティーを有するものであるからである。ＪＰＥＧ２０００以外にＰｒｏｇｒｅｓｓｉｖｅ　ＪＰＥＧの符号化方式もまた画質方向にスケーラビリティーを有する符号化方式であり、分割記録することができる。
【００５５】
図１０に入力された画像に対して設定されたパラメータに従ってＰｒｏｇｒｅｓｓｉｖｅ　ＪＰＥＧに従った符号化を行い、生成された符号化データを記憶媒体に分割記録する情報記録装置の概略機能構成と、入力対象の画像を示す。画像１００１はＰｒｏｇｒｅｓｓｉｖｅ　ＪＰＥＧの符号化対象となる画像である。パラメータ設定部１００２はＪＰＥＧ　Ｐｒｏｇｒｅｓｓｉｖｅエンコーダ１００３の動作を制御するためのパラメータを設定するためのものであり、上記パラメータ設定部８０２と同じ機能を有するものであるが設定するものが異なる。すなわちパラメータ設定部１００２はエンコードする際のスキャン数をパラメータとして設定する。
【００５６】
ＪＰＥＧ　Ｐｒｏｇｒｅｓｓｉｖｅエンコーダ１００３はＰｒｏｇｒｅｓｓｉｖｅ　ＪＰＥＧに従った符号化方式で画像１００１に対して符号化を行う。Ｐｒｏｇｒｅｓｓｉｖｅ　ＪＰＥＧに従った符号化方式については公知の技術であるので、その説明を省略する。出力処理部１００４は出力処理部８０４と同じであるので、その説明を省略する。
【００５７】
以上の構成により、Ｐｒｏｇｒｓｓｉｖｅ　ＪＰＥＧに従った符号化データでも、ＪＰＥＧ２０００に従った符号化データと同様に分割記録を行うことが可能になる。
【００５８】
［その他の実施の形態］
さらに、本発明は上記実施形態を実現するための装置及び方法のみに限定されるものではなく、上記システム又は装置内のコンピュータ（ＣＰＵあるいはＭＰＵ）に、上記実施形態を実現するためのソフトウエアのプログラムコードを供給し、このプログラムコードに従って上記システムあるいは装置のコンピュータが上記各種デバイスを動作させることにより上記実施形態を実現する場合も本発明の範疇に含まれる。
【００５９】
またこの場合、前記ソフトウエアのプログラムコード自体が上記実施形態の機能を実現することになり、そのプログラムコード自体、及びそのプログラムコードをコンピュータに供給するための手段、具体的には上記プログラムコードを格納した記憶媒体は本発明の範疇に含まれる。
【００６０】
この様なプログラムコードを格納する記憶媒体としては、例えばフロッピー（登録商標）ディスク、ハードディスク、光ディスク、光磁気ディスク、ＣＤ−ＲＯＭ、磁気テープ、不揮発性のメモリカード、ＲＯＭ等を用いることができる。
【００６１】
また、上記コンピュータが、供給されたプログラムコードのみに従って各種デバイスを制御することにより、上記実施形態の機能が実現される場合だけではなく、上記プログラムコードがコンピュータ上で稼働しているＯＳ（オペレーティングシステム）、あるいは他のアプリケーションソフト等と共同して上記実施形態が実現される場合にもかかるプログラムコードは本発明の範疇に含まれる。
【００６２】
更に、この供給されたプログラムコードが、コンピュータの機能拡張ボードやコンピュータに接続された機能拡張ユニットに備わるメモリに格納された後、そのプログラムコードの指示に基づいてその機能拡張ボードや機能格納ユニットに備わるＣＰＵ等が実際の処理の一部または全部を行い、その処理によって上記実施形態が実現される場合も本発明の範疇に含まれる。
【００６３】
【発明の効果】
以上の説明により、本発明によって、符号化データにおいて、よりサイズの大きいデータに対してアクセスすることができる。
【図面の簡単な説明】
【図１】本発明の第１の実施形態に係る情報記録装置の基本構成を示す図である。
【図２】Ｌａｙｅｒ−ｒｅｓｏｌｕｔｉｏｎ　ｌｅｖｅｌ−ｃｏｍｐｏｎｅｎｔ−ｐｏｓｉｔｉｏｎ　ｐｒｏｇｒｅｓｓｉｏｎに従ったＪＰＥＧ２０００の符号化データのデータ構成を示す図である。
【図３】解像度とＲｅｓｏｌｕｔｉｏｎ番号との関係を示す図である。
【図４】記憶媒体１０７の情報記憶部分を示す図である。
【図５】二次記憶装置１０３に記憶されているＪＰＥＧ２０００のデータをデータ入出力装置１０６により記憶媒体１０７に書き込む処理のフローチャートを示である。
【図６】一般領域に記録されたデータ、すなわち最低画質の画像のデータのみを読み出す処理のフローチャートである。
【図７】特別領域、一般領域に記録されたデータ、すなわち、１つの符号化データを読み出す処理のフローチャートである。
【図８】本発明の第２の実施形態に係る情報記録装置の概略機能構成と、本装置への入力対象となる元画像を示す図である。
【図９】出力処理部８０４が行う処理のフローチャートである。
【図１０】入力された画像に対して設定されたパラメータに従ってＰｒｏｇｒｅｓｓｉｖｅ　ＪＰＥＧに従った符号化を行い、生成された符号化データを記憶媒体に分割記録する情報記録装置の概略機能構成と、入力対象の画像を示す図である。
【図１】
2004080144.tif 000003
【図２】
2004080144.tif 000004
【図３】
2004080144.tif 000005
【図４】
2004080144.tif 000006
【図５】
2004080144.tif 000007
【図６】
2004080144.tif 000008
【図７】
2004080144.tif 000009
【図８】
2004080144.tif 000010
【図９】
2004080144.tif 000011
【図１０】
2004080144.tif 000012